(57)【要約】【課題】  印刷が施された複数のリーフの製造コストを節減する。【解決手段】  矩形のシート１には、全体を１６枚の矩形のリーフ５に等分するように、切り離し用のミシン目の穿孔３が縦横に形成されている。１６枚のリーフ５には、互いに対応する一辺に沿った、互いに対応する２箇所に、それぞれ綴じ孔７が形成されている。１６枚のリーフ５の表面には、互いに対応する一辺に対して互いに同一姿勢で、それぞれ印刷が施されている。１６枚のリーフ５のうち、１５枚には、所定年の１月から１２月までの月表と、翌年の１月から３月までの月表が印刷されている。【選択図】  図１
2012254563.tif 000002
【特許請求の範囲】
【請求項１】
矩形のシート状のリーフ印刷物であって、
全体を４枚以上の矩形のリーフに等分するように、切り離し用のミシン目の穿孔が縦横に形成されており、
前記４枚以上のリーフのうちの複数のリーフには、互いに対応する一辺に沿った、互いに対応する複数部位に、それぞれ綴じ孔が形成され、
前記複数のリーフには、共通する一方主面に、互いに対応する前記一辺に対して互いに同一姿勢で、それぞれ印刷が施されているリーフ印刷物。
【請求項２】
前記複数のリーフについて、リーフごとに月が異なるカレンダーの月表を含むように前記印刷が施されている、請求項１に記載のリーフ印刷物。
【請求項３】
前記４枚以上のリーフが１６枚のリーフであり、
前記複数のリーフが１５枚のリーフであり、
前記月表が、所定年の１月から１２月までと、当該所定年の翌年の１月から３月までの月表である、請求項２に記載のリーフ印刷物。
【請求項４】
前記４枚以上のリーフのうち、前記複数のリーフと少なくとも一部が重複する別の複数のリーフの間においても、互いに対応する一辺に沿った、互いに対応する複数部位に、それぞれ綴じ孔が形成されており、
前記別の複数のリーフは、共通する他方主面に、互いに対応する前記一辺に対して互いに同一姿勢で、リーフごとに月が異なるカレンダーの月表を含むように、それぞれ印刷が施されており、
表裏双方に月表を含むリーフについては、一方主面に或る月の月表を含み、他方主面にその翌月の月表を含んでいる、請求項２又は３に記載のリーフ印刷物。
【請求項５】
前記複数のリーフについて、リーフごとに日が異なるカレンダーの日表を含むように前記印刷が施されている、請求項１に記載のリーフ印刷物。
【請求項６】
他方主面に、２以上のリーフにまたがる印刷が施されている、請求項１ないし３及び５の何れかに記載のリーフ印刷物。
【請求項７】
矩形のシート状のリーフ印刷物であって、
全体を２枚の矩形のリーフに等分するように、切り離し用のミシン目の穿孔が中心線に沿って形成されており、
前記２枚のリーフには、共通する一方主面に互いに同一姿勢で、それぞれ印刷が施されており、
前記２枚のリーフには、互いに対応する一辺に沿った、互いに対応する複数部位に、それぞれ綴じ孔が形成されている、リーフ印刷物。
【請求項８】
前記２枚のリーフについて、リーフごとに月が異なるカレンダーの月表、又はリーフごとに日が異なるカレンダーの日表を含むように前記印刷が施されている、請求項７に記載のリーフ印刷物。
【請求項９】
他方主面に、２枚のリーフにまたがる印刷が施されている、請求項７又は８に記載のリーフ印刷物。
【請求項１０】
矩形のシートに印刷を施した後に、ミシン目の穿孔及び綴じ孔を形成する、請求項１ないし９の何れかに記載のリーフ印刷物を製造する製造方法。
【請求項１１】
矩形のシート状のリーフ印刷物であって、
全体を４枚以上の矩形のリーフに等分するように、切り離し用のミシン目の穿孔が縦横に形成されており、
前記４枚以上のリーフのうちの複数のリーフには、共通する一方主面に、互いに対応する一辺に対して互いに同一姿勢で、それぞれ印刷が施されているリーフ印刷物。
【請求項１２】
他方主面に、２枚以上のリーフにまたがる印刷が施されている、請求項１１に記載のリーフ印刷物。
【請求項１３】
矩形のシート状のリーフ印刷物であって、
全体を２枚の矩形のリーフに等分するように、切り離し用のミシン目の穿孔が中心線に沿って形成されており、
前記２枚のリーフには、共通する一方主面に互いに同一姿勢で、それぞれ印刷が施されている、リーフ印刷物。
【請求項１４】
他方主面に、２枚のリーフにまたがる印刷が施されている、請求項１３に記載のリーフ印刷物。
【請求項１５】
矩形のシートに印刷を施した後に、ミシン目の穿孔を形成する、請求項１１ないし１４の何れかに記載のリーフ印刷物を製造する製造方法。
【発明の詳細な説明】
【技術分野】
【０００１】
本発明は、卓上リーフベースへの利用に好適なリーフ印刷物及びその製造方法に関する。
【背景技術】
【０００２】
カレンダーの月表等が印刷された１組（例えば１２箇月分）のリーフの一辺に沿って綴じ孔が形成されたものを、バインダにより差し替え可能に保持することにより、卓上カレンダーとして利用することを可能にする卓上リーフベース（同一出願人による、例えば特許文献１）、及び壁掛カレンダーとして利用することを可能にする磁石付きバインダ（同一出願人による、例えば特許文献２）が知られている。図１０は、特許文献１に開示される卓上リーフベースに、月表が印刷されたリーフを保持させてなる卓上カレンダーの外観を示す斜視図である。図１０（ａ）に示すように、１組（例えば１２枚）のリーフ７５には、異なる月の月表が印刷されている。月表には月数字７９が含まれる。また、各リーフ７５には、その上辺に沿った２箇所に綴じ孔７７が形成されている。図１０（ｂ）に示すように、卓上リーフベース２０１は、側面視略台形のベース本体７０と、当該ベース本体７０の天面に取り付けられたリングバインダ７１とを有している。リングバインダ７１のリングを開いて、１組のリーフ７５の綴じ孔７７をリングバインダ７１の２本のリングに通し、その後リングを閉じることにより、リーフ７５をリングバインダ７１に吊り下げることができる。このようにして、年ごとに１組の月表の差し替えが可能な卓上カレンダーが実現する。月数字７９が表示する月が経過するなどにより、正面に現れているリーフ７５の月表が無用になると、当該リーフ７５を卓上リーフベース２０１の背面へめくることにより、次の月の月表を表示することができる。
【０００３】
図１１は、特許文献２に開示される磁石付きバインダに、月表が印刷された１組のリーフを保持させてなる壁掛カレンダーの外観を示す斜視図である。図１１（ａ）に示すように、１組（例えば１２枚）のリーフ８５には、異なる月の月表が印刷されている。月表には月数字８９が含まれる。また、各リーフ８５には、その上辺に沿った２箇所に綴じ孔８７が形成されている。図１１（ｂ）に示すように、磁石付きバインダ２０２は、板状のベース部材８０と、当該ベース部材８０の表面に取り付けられたリングバインダ８１とを有している。磁石付きバインダ２０２は更に、裏面を鉄壁等の磁性体壁に吸着させる磁石（図示略）が取り付けられている。それにより、磁石付きバインダ２０２は磁性体壁に着脱可能に保持することが可能となっている。また、ベース部材８０には吊りひも８２が取り付けられており、当該吊りひも８２を用いて壁の釘などに磁石付きバインダ２０２を吊り下げることも可能となっている。リングバインダ８１のリングを開いて、１組のリーフ８５の綴じ孔８７をリングバインダ８１の２本のリングに通し、その後リングを閉じることにより、リーフ８５をリングバインダ８１に吊り下げることができる。このようにして、年ごとに新たな１組の月表の装着が可能な壁掛カレンダーが実現する。月数字８９が表示する月が経過するなどにより、正面に現れているリーフ８９の月表が無用になると、当該リーフ８９をリングバインダ８１のリングから除去することにより、次の月の月表を表示することができる。
【０００４】
このように、月表が印刷され、かつ綴じ孔７７、８７が形成された１組のリーフ７５、８５のみを、例えば広告媒体として顧客あるいは潜在的顧客に毎年送付することにより、広告主は低コストで、顧客等とのつながりを維持することができる。しかし、例えば１２枚一組のリーフ７５、８５を製造するコスト自体は、永年来の卓上カレンダーの製造過程でリーフを製造するのに要したコストと変わりがない、という問題点があった。
【先行技術文献】
【特許文献】
【０００５】
【特許文献１】特許第４６２８４８０号公報
【特許文献２】特許第４７０９９４０号公報
【発明の概要】
【発明が解決しようとする課題】
【０００６】
本発明は上記の問題点に鑑みてなされたもので、印刷が施された複数のリーフの製造コストを節減するリーフ印刷物、及びその製造方法を提供することを目的とする。
【課題を解決するための手段】
【０００７】
上記課題を解決し上記目的を達成するために、本発明のうち第１の態様に係るものは、矩形のシート状のリーフ印刷物であって、全体を４枚以上の矩形のリーフに等分するように、切り離し用のミシン目の穿孔が縦横に形成されている。前記４枚以上のリーフのうちの複数のリーフには、互いに対応する一辺に沿った、互いに対応する複数部位に、それぞれ綴じ孔が形成されている。前記複数のリーフには、共通する一方主面に、互いに対応する前記一辺に対して互いに同一姿勢で、それぞれ印刷が施されている。
【０００８】
この構成によれば、ミシン目の穿孔に沿ってリーフを切り離し、例えばバインダを有する卓上リーフベースの複数のバインダリングを、リーフの複数の綴じ孔にそれぞれ通すことにより、切り離された４枚以上のリーフのうちの複数のリーフを、卓上リーフベースに差し替え可能に吊り下げて使用に供することができる。リーフ印刷物は、使用に供される大きさの４倍以上の大きさではあるが、４倍以上の大きさであっても略同一コストで印刷、ミシン目の穿孔、及び綴じ孔の形成が可能である。それゆえ、所定枚数のリーフを作製するのに要するコストの節減を図ることができる。また、シートが過大である場合においても、ミシン目の穿孔に沿って切り離すことなく、ミシン目の穿孔に沿って単に折り畳むことにより、面積を小さくして送料の低い郵送等により、リーフ印刷物を利用者の手元に届けることが可能となる。ミシン目の穿孔に沿ってリーフを切り離し、切り離されたリーフを重ね合わせる作業に比べると、単に折り畳む作業は、機械によっても，手作業によっても、より迅速かつ低コストで実行することができる。また、送付のための封筒等への梱包作業においても、重ね合わされたリーフよりも、折り畳まれたリーフを梱包する方が容易であり、作業性が高いものとなる。シートが過大ではない場合には、折り畳むこともなく、そのままで送料の低廉な郵送等を利用して送付することができる。
【０００９】
本発明のうち第２の態様に係るものは、第１の態様に係るリーフ印刷物であって、  前記複数のリーフについて、リーフごとに月が異なるカレンダーの月表を含むように前記印刷が施されているものである。
【００１０】
この構成によれば、ミシン目の穿孔に沿ってリーフを切り離し、例えば卓上リーフベースに吊り下げることにより、月表を表示する卓上カレンダーとして使用に供することができる。
【００１１】
本発明のうち第３の態様に係るものは、第２の態様に係るリーフ印刷物であって、  前記４枚以上のリーフが１６枚のリーフであり、前記複数のリーフが１５枚のリーフであり、前記月表が、所定年の１月から１２月までと、当該所定年の翌年の１月から３月までの月表であるものである。
【００１２】
この構成によれば、単一のリーフ印刷物から、ミシン目の穿孔に沿ってリーフを切り離し、例えば卓上リーフベースに吊り下げることにより、所定年の１２枚の月表と、翌年の初めの３箇月とを含む卓上カレンダーとして使用に供することができる。
【００１３】
本発明のうち第４の態様に係るものは、第２又は第３の態様に係るリーフ印刷物であって、前記４枚以上のリーフのうち、前記複数のリーフと少なくとも一部が重複する別の複数のリーフの間においても、互いに対応する一辺に沿った、互いに対応する複数部位に、それぞれ綴じ孔が形成されている。前記別の複数のリーフは、共通する他方主面に、互いに対応する前記一辺に対して互いに同一姿勢で、リーフごとに月が異なるカレンダーの月表を含むように、それぞれ印刷が施されている。さらに、表裏双方に月表を含むリーフについては、一方主面に或る月の月表を含み、他方主面にその翌月の月表を含んでいる。
【００１４】
この構成によれば、ミシン目の穿孔に沿ってリーフを切り離し、例えば卓上リーフベースに吊り下げることにより、月表を表示する卓上カレンダーとして使用に供したときに、正面に現れているリーフと背面に現れているリーフとの双方に、同一月の月表が含まれる。このため、例えばセールスパースンと顧客とが、卓上リーフベースが載置されたデスクを挟んで商談をする場合に、同一月の月表を双方が参照することができる。
【００１５】
本発明のうち第５の態様に係るものは、第１の態様に係るリーフ印刷物であって、前記複数のリーフについて、リーフごとに日が異なるカレンダーの日表を含むように前記印刷が施されているものである。
この構成によれば、ミシン目の穿孔に沿ってリーフを切り離し、例えば卓上リーフベースに適用することにより、日表を表示する卓上カレンダーとして使用に供することができる。
【００１６】
本発明のうち第６の態様に係るものは、第１ないし第３及び第５の何れか態様に係るリーフ印刷物であって、他方主面に、２以上のリーフにまたがる印刷が施されているものである。
この構成によれば、例えばカレンダー月表などのリーフ単位の印刷が一方主面に施されたリーフ印刷物の他方主面に、２以上のリーフにまたがる印刷が施されているので、ミシン目の穿孔に沿ってリーフが切り離されないままのリーフ印刷物を受け取った利用者は、リーフを切り離して利用する前に、他方主面に施された印刷を、一体のものとして目にすることができる。例えば、他方主面に広告を印刷することにより、２以上のリーフにまたがる大きさの広告が発揮する強い印象を、利用者に伝えることが可能となる。
【００１７】
本発明のうち第７の態様に係るものは、矩形のシート状のリーフ印刷物であって、
全体を２枚の矩形のリーフに等分するように、切り離し用のミシン目の穿孔が中心線に沿って形成されている。前記２枚のリーフには、共通する一方主面に互いに同一姿勢で、それぞれ印刷が施されている。さらに、前記２枚のリーフには、互いに対応する一辺に沿った、互いに対応する複数部位に、それぞれ綴じ孔が形成されている。
【００１８】
この構成によれば、ミシン目の穿孔に沿ってリーフを切り離し、例えばバインダを有する卓上リーフベースの複数のバインダリングを、リーフの複数の綴じ孔にそれぞれ通すことにより、切り離された２枚のリーフを、卓上リーフベースに差し替え可能に吊り下げて使用に供することができる。リーフ印刷物は、使用に供される大きさの２倍の大きさではあるが、２倍の大きさであっても略同一コストで印刷、ミシン目の穿孔、及び綴じ孔の形成が可能である。それゆえ、所定枚数のリーフを作製するのに要するコストの節減を図ることができる。また、シートが過大である場合においても、ミシン目の穿孔に沿って切り離すことなく、ミシン目の穿孔に沿って単に折り畳むことにより、面積を小さくして送料の低い郵送等により、リーフ印刷物を利用者の手元に届けることが可能となる。ミシン目の穿孔に沿ってリーフを切り離し、切り離されたリーフを重ね合わせる作業に比べると、単に折り畳む作業は、機械によっても，手作業によっても、より迅速かつ低コストで実行することができる。また、送付のための封筒等への梱包作業においても、重ね合わされたリーフよりも、折り畳まれたリーフを梱包する方が容易であり、作業性が高いものとなる。シートが過大ではない場合には、折り畳むこともなく、そのままで送料の低廉な郵送等を利用して送付することができる。
【００１９】
本発明のうち第８の態様に係るものは、第７の態様に係るリーフ印刷物であって、前記２枚のリーフについて、リーフごとに月が異なるカレンダーの月表、又はリーフごとに日が異なるカレンダーの日表を含むように前記印刷が施されているものである。
【００２０】
この構成によれば、ミシン目の穿孔に沿ってリーフを切り離し、例えば卓上リーフベースに吊り下げることにより、月表又は日表を表示する卓上カレンダーとして使用に供することができる。
【００２１】
本発明のうち第９の態様に係るものは、第７又は第８の態様に係るリーフ印刷物であって、他方主面に、２枚のリーフにまたがる印刷が施されているものである。
【００２２】
この構成によれば、例えばカレンダー月表などのリーフ単位の印刷が一方主面に施されたリーフ印刷物の他方主面に、２枚のリーフにまたがる印刷が施されているので、ミシン目の穿孔に沿ってリーフが切り離されないままのリーフ印刷物を受け取った利用者は、リーフを切り離して利用する前に、他方主面に施された印刷を、一体のものとして目にすることができる。例えば、他方主面に広告を印刷することにより、２枚のリーフにまたがる大きさの広告が発揮する強い印象を、利用者に伝えることが可能となる。
【００２３】
本発明のうち第１０の態様に係るものは、第１ないし第９の何れか態様に係るリーフ印刷物を製造する製造方法であって、矩形のシートに印刷を施した後に、ミシン目の穿孔及び綴じ孔を形成するものである。
【００２４】
この構成によれば、リーフ印刷物を製造するに際し、矩形のシートに印刷を施した後に、ミシン目の穿孔及び綴じ孔が形成されるので、凹凸のないシート上に印刷を施すこととなる。このため、印刷作業が容易となる。
【００２５】
本発明のうち第１１の態様に係るものは、矩形のシート状のリーフ印刷物であって、全体を４枚以上の矩形のリーフに等分するように、切り離し用のミシン目の穿孔が縦横に形成されているものである。そして、前記４枚以上のリーフのうちの複数のリーフには、共通する一方主面に、互いに対応する一辺に対して互いに同一姿勢で、それぞれ印刷が施されている。
【００２６】
この構成によれば、ミシン目の穿孔に沿ってリーフを切り離し、切り離された４枚以上のリーフのうちの複数のリーフに対し、互いに対応する一辺に沿って綴じ孔を形成することにより、例えばバインダを有する卓上リーフベースに、これら４枚以上のリーフを差し替え可能に吊り下げて使用に供することができる。また、例えばトランプが印刷されている場合のように、綴じ孔を形成することなく、単にミシン目の穿孔に沿ってリーフを切り離すことによって、複数のリーフを使用に供することができる。リーフ印刷物は、使用に供される大きさの４倍以上の大きさではあるが、４倍以上の大きさであっても略同一コストで印刷、及びミシン目の穿孔が可能である。それゆえ、所定枚数のリーフを作製するのに要するコストの節減を図ることができる。また、シートが過大である場合においても、ミシン目の穿孔に沿って切り離すことなく、ミシン目の穿孔に沿って単に折り畳むことにより、面積を小さくして送料の低い郵送等により、リーフ印刷物を利用者の手元に届けることが可能となる。ミシン目の穿孔に沿ってリーフを切り離し、切り離されたリーフを重ね合わせる作業に比べると、単に折り畳む作業は、機械によっても，手作業によっても、より迅速かつ低コストで実行することができる。また、送付のための封筒等への梱包作業においても、重ね合わされたリーフよりも、折り畳まれたリーフを梱包する方が容易であり、作業性が高いものとなる。シートが過大ではない場合には、折り畳むこともなく、そのままで送料の低廉な郵送等を利用して送付することができる。
【００２７】
本発明のうち第１２の態様に係るものは、第１１の態様に係るリーフ印刷物であって、他方主面に、２枚以上のリーフにまたがる印刷が施されているものである。
【００２８】
この構成によれば、本発明の第６の態様に係るリーフ印刷物と同様の作用及び効果が得られる。
【００２９】
本発明のうち第１３の態様に係るものは、矩形のシート状のリーフ印刷物であって、全体を２枚の矩形のリーフに等分するように、切り離し用のミシン目の穿孔が中心線に沿って形成されているものである。そして、前記２枚のリーフには、共通する一方主面に互いに同一姿勢で、それぞれ印刷が施されている。
【００３０】
この構成によれば、ミシン目の穿孔に沿ってリーフを切り離し、切り離された２枚のリーフに対し、互いに対応する一辺に沿って綴じ孔を形成することにより、例えばバインダを有する卓上リーフベースに、これら２枚のリーフを差し替え可能に吊り下げて使用に供することができる。また、例えばトランプが印刷されている場合のように、綴じ孔を形成することなく、単にミシン目の穿孔に沿ってリーフを切り離すことによって、各リーフを使用に供することができる。リーフ印刷物は、使用に供される大きさの２倍の大きさではあるが、２倍の大きさであっても略同一コストで印刷、及びミシン目の穿孔が可能である。それゆえ、所定枚数のリーフを作製するのに要するコストの節減を図ることができる。また、シートが過大である場合においても、ミシン目の穿孔に沿って切り離すことなく、ミシン目の穿孔に沿って単に折り畳むことにより、面積を小さくして送料の低い郵送等により、リーフ印刷物を利用者の手元に届けることが可能となる。ミシン目の穿孔に沿ってリーフを切り離し、切り離されたリーフを重ね合わせる作業に比べると、単に折り畳む作業は、機械によっても，手作業によっても、より迅速かつ低コストで実行することができる。また、送付のための封筒等への梱包作業においても、重ね合わされたリーフよりも、折り畳まれたリーフを梱包する方が容易であり、作業性が高いものとなる。シートが過大ではない場合には、折り畳むこともなく、そのままで送料の低廉な郵送等を利用して送付することができる。
【００３１】
本発明のうち第１４の態様に係るものは、第１３の態様に係るリーフ印刷物であって、他方主面に、２枚のリーフにまたがる印刷が施されているものである。
【００３２】
この構成によれば、本発明の第９の態様に係るリーフ印刷物と同様の作用及び効果が得られる。
【００３３】
本発明のうち第１５の態様に係るものは、第１１ないし第１４の何れか態様に係るリーフ印刷物を製造する製造方法であって、矩形のシートに印刷を施した後に、ミシン目の穿孔を形成するものである。
【００３４】
この構成によれば、リーフ印刷物を製造するに際し、矩形のシートに印刷を施した後に、ミシン目の穿孔が形成されるので、凹凸のないシート上に印刷を施すこととなる。このため、印刷作業が容易となる。
【発明の効果】
【００３５】
以上のように本発明のリーフ印刷物及びその製造方法によれば、印刷が施された複数のリーフの製造コストを節減することができる。
【図面の簡単な説明】
【００３６】
【図１】本発明の実施の形態１によるリーフ印刷物の表面を示す平面図である。
【図２】図１のリーフ印刷物の裏面を示す背面図である。
【図３】図１のリーフ印刷部の郵便による搬送形態を例示する外観斜視図である。
【図４】図１のリーフ印刷物の使用形態を例示する外観斜視図であり、（ａ）は正面側を示す斜視図であり、（ｂ）は背面側を示す斜視図である。
【図５】本発明の実施の形態２によるリーフ印刷物を示す図であり、（ａ）は表面を示す平面図、（ｂ）は裏面を示す背面図であり、（ｃ）は裏面の別の例を示す背面図である。
【図６】本発明の実施の形態３によるリーフ印刷物を示す図であり、（ａ）は表面を示す平面図、（ｂ）は裏面を示す背面図である。
【図７】図６のリーフ印刷物の使用形態を例示する外観斜視図であり、（ａ）は正面側から視た斜視図であり、（ｂ）は背面側から視た斜視図である。
【図８】本発明の実施の形態４によるリーフ印刷物を示す図であり、（ａ）は切り離し後の１組のリーフを示す斜視図、（ｂ）はその使用形態を例示する斜視図である。
【図９】本発明の実施の形態５によるリーフ印刷物を示す平面図である。
【図１０】本発明の背景技術による卓上カレンダーを示す図であり、（ａ）は卓上カレンダーに使用される１組のリーフを示す斜視図であり、（ｂ）は卓上カレンダーの斜視図である。
【図１１】本発明の背景技術による壁掛カレンダーを示す図であり、（ａ）壁掛カレンダーに使用される１組のリーフを示す斜視図であり、（ｂ）は壁掛カレンダーの斜視図である。
【発明を実施するための形態】
【００３７】
（実施の形態１）
図１は、本発明の実施の形態１によるリーフ印刷物の表面を示す平面図である。また図２は、同リーフ印刷物の裏面を示す背面図である。このリーフ印刷物１０１は、矩形のシート１の表面及び裏面に印刷が施されたシート状の印刷物である。シート１は、例えば、従来周知の卓上カレンダーの月表リーフと同程度の剛性を有する印刷用の紙である。シート１の大きさは、一例としてＡ２サイズである。シート１には、全体を１６枚の矩形のリーフ５に等分するように、ミシン目の穿孔３が縦横に形成されている。穿孔３は、好ましい一例として、穿孔３に沿ってリーフ５を切り離した後に切断線上に凹凸が目立たず、かつ切り離しが容易な、いわゆるマイクロミシン目として形成される。１枚のリーフ５の大きさは、一例としてＡ６サイズである。
【００３８】
１６枚のリーフ５の各々には、図において上側の辺、すなわち上辺に沿って綴じ孔７が形成されている。綴じ孔７は、１６枚のリーフ５の間で、上辺に対して互いに対応する２箇所に形成されている。図１（ａ）に示すように、シート１の表面には、カレンダーが印刷されている。より具体的には、シート１の表面において、１６枚のリーフ５のうち、１枚のリーフ５には表紙６が印刷され、残る１５枚のリーフ５の各々には、月数字９の異なるカレンダーの月表が印刷されている。１５枚の月表は、所定年の１月から１２月までと、その翌年の１月から３月までの月表である。これらの表紙６及び月表は、図上の上辺をリーフ５の各々の上辺とする姿勢で印刷されている。
【００３９】
このようにリーフ印刷物１０１には、１６枚のリーフ５の間で、互いに対応する一辺に沿い、かつ互いに対応する部位に、綴じ孔７が形成され、しかも、各リーフ５の表面には、当該一辺を共通に上辺とする姿勢で、表紙６又は月表が印刷されている。図１（ａ）では、綴じ孔７が１６枚のリーフ５の全てを通じて、図上の上辺に沿って形成されたが、互いに対応する一辺に沿って形成されておれば足りる。例えば、４行４列の１６枚のリーフ５のうち、第１行と第３行の８枚のリーフ５については、図１（ａ）とは逆に図上の下辺に沿って綴じ孔７が形成され、第２行と第４行の８枚のリーフ５については、図１（ａ）の通りに、図上の上辺に沿って綴じ孔７が形成されていても良い。この場合には、綴じ孔７は、第１行のリーフ５と第２行のリーフ５との間のミシン目の穿孔３の両側に並ぶとともに、第３行のリーフ５と第４行のリーフ５と間のミシン目の穿孔３の両側に並ぶ。この場合においても、１６枚のリーフ５の各々には、綴じ孔７が沿っている一辺を上辺とする姿勢で、表紙６又は月表が印刷される。
【００４０】
図２に示すように、リーフ印刷物１０１の裏面には、広告が印刷されている。広告は、４枚のリーフ５に跨って印刷された広告１３、リーフ５ごとに印刷された広告１１、広告主宛の注文書が印刷された葉書１７、及び広告主が提供する入場券１２を含んでいる。図示を略するが、１６枚のリーフ５の全体にわたって、１つの広告が印刷されていても良い。入場券１２はリーフ５の半分の大きさであり、ミシン目の穿孔３により１枚のリーフ５を２等分した２領域に、２枚の入場券１２が印刷されている。入場券１２に限らず、割引券、ポイント券、記念品贈呈券など、広告主が販売促進を目的としてリーフ印刷物１０１の送付先に贈与する一種の債権を証する証書を印刷することも当然可能である。
【００４１】
リーフ印刷物１０１は、以上のように構成されるので、以下のような利点を有する。ミシン目の穿孔３に沿ってリーフ５を切り離し、例えば図１０に示した卓上リーフベース２０１のバインダ７１のリングを、切り離された１組のリーフ５の綴じ孔に通すことにより、当該１組のリーフ５を互いに重ねて、卓上リーフベース２０１に吊り下げることができる。それにより、所定年の１２枚の月表と、翌年の初めの３箇月とを含む卓上カレンダーとして、リーフ印刷物１０１を使用に供することができる。リーフ印刷物１０１は、図１１に示した磁石付きバインダ２０２に適用することにより、壁掛けカレンダーとして使用することも、当然可能である。
【００４２】
リーフ印刷物１０１は、使用に供されるリーフ５の大きさの１６倍の大きさではあるが、単一のリーフ５と略同一コストで印刷、ミシン目の穿孔３、及び綴じ孔７の形成が可能である。それゆえ、コストを削減して１６枚のリーフ５を作製することができる。リーフ印刷物１０１は、先に印刷を行い、その後にミシン目の穿孔３及び綴じ孔７を形成する方が、凹凸のない平坦なシート１に印刷をすることができ、印刷が容易である点で望ましい。
【００４３】
図３は、リーフ印刷部１０１の郵便による搬送形態を例示する外観斜視図である。図３に例示するように、リーフ印刷物１０１をミシン目の穿孔３に沿って切り離すことなく、ミシン目の穿孔３に沿って単に折り畳むことにより封筒６５に収容し、面積を小さくして送料の低い郵送等を通じて、利用者の手元に届けることも可能である。例えば、リーフ印刷物１０１を２回折り畳むことにより、世界共通でありもっとも安価なＡ４サイズにして、郵送することが可能である。ミシン目の穿孔３がマイクロミシン目である場合でも、一方側へ折り畳みのみでは、破断は起こらない。ミシン目の穿孔３に沿ってリーフ５を切り離し、切り離されたリーフ５を重ね合わせる作業に比べると、単に折り畳む作業は、機械によっても，手作業によっても、より迅速かつ低コストで実行することができる。また、送付のための封筒等への梱包作業においても、重ね合わされた１組のリーフ５よりも、折り畳まれたリーフ印刷物１０１を梱包する方が容易であり、作業性が高いものとなる。このように、リーフ印刷物１０１は、製造、梱包、及び輸送のコストを節減することが可能である。
【００４４】
図４は、リーフ印刷物１０１の使用形態を例示する外観斜視図であり、（ａ）は正面側を示し、（ｂ）は背面側を示している。送付されたリーフ印刷物１０１を受け取ったリーフ印刷物１０１のユーザは、リーフ印刷物１０１をミシン目の穿孔３に沿って切り離すことにより、図４に例示するように、１組のリーフ５を卓上リーフベース２０１（図１０参照）等への利用に供することができる。ミシン目の穿孔３がマイクロミシン目である場合には、ユーザは、ミシン目の穿孔３に沿って、折り畳まれた側とは反対側にリーフ印刷物１０１を折り曲げることにより、１組のリーフ５に簡単に切り離すことができる。
【００４５】
リーフ印刷物１０１には更に、その裏面に２枚以上のリーフ５にまたがる広告１３が印刷されているので、ミシン目の穿孔３に沿ってリーフ５を切り離されないままで送付されたリーフ印刷物１０１を受け取ったユーザは、リーフ５を切り離して利用する前に、裏面に印刷された広告１３を一体のものとして目にすることができる。リーフ印刷物１０１を広告媒体として送付した広告主は、大きな広告が発揮する強い印象をユーザに伝えることができる。また、広告主は、リーフ印刷物１０１に、葉書１７の形式で注文書を印刷することにより、ユーザの注文を促すことができ、宣伝の効果を高めることができる。葉書１７に綴じ孔７が形成されていても、郵便葉書として我が国のみならず世界中で利用する上で支障はない。リーフ印刷物１０１にリーフ５単位の広告１１（図２）が印刷されている場合には、かかる広告１１は、図４（ｂ）に例示するように、卓上リーフベース２０１の背面側に表示することができる。
【００４６】
（実施の形態２）
図５は、本発明の実施の形態２によるリーフ印刷物を示す図であり、（ａ）は表面を示す平面図、（ｂ）は裏面を示す背面図であり、（ｃ）裏面の別の例を示す背面図である。このリーフ印刷物１０２は、矩形のシート２１の表面及び裏面に印刷が施されたシート状の印刷物である。シート２１の大きさは、一例としてＡ４サイズである。シート２１には、全体を４枚の矩形のリーフ２５に等分するように、ミシン目の穿孔２３が縦横に形成されている。ミシン目の穿孔２３は、実施の形態１の穿孔３と同様に好ましい一例として、マイクロミシン目として形成される。
【００４７】
４枚のリーフ２５の各々には、互いに対応する辺である図上の上辺に沿って綴じ孔２７が形成されている。図５（ａ）に例示するように、シート２１の表面には、カレンダーと広告とが印刷されている。より具体的には、シート２１の表面において、４枚のリーフ２５のうち、リーフ２６には表紙２６が印刷され、残る３枚のリーフ２５のうちの２枚には、月数字２９の異なるカレンダーの月表が印刷され、残る１枚には広告２４が印刷されている。これらの表紙、月表、及び広告は、綴じ孔２７が形成されている辺をリーフ２５の各々の上辺とする姿勢で印刷されている。
【００４８】
図５（ｂ）に例示するように、リーフ印刷物１０２の背面には、例えば４枚のリーフ２５の全体にわたるように、広告２８を印刷してもよい。図５（ｃ）に例示するように、カレンダーの月表、広告２４に加えて、広告主が提供する入場券２２を印刷しても良い。入場券２２はリーフ２５の半分の大きさであり、ミシン目の穿孔２３により１枚のリーフ２５を２等分した２領域に、２枚の入場券２２が印刷されている。入場券２２に限らず、実施の形態１において述べたように、一般に何らかの債権証書を印刷することも当然可能である。
【００４９】
（実施の形態３）
図６は、本発明の実施の形態３によるリーフ印刷物を示す図であり、（ａ）は表面を示す平面図、（ｂ）は裏面を示す背面図である。このリーフ印刷物１０３は、矩形のシート３１の表面及び裏面に印刷が施されたシート状の印刷物である。シート３１の大きさは、一例としてＡ５サイズである。シート３１には、全体を２枚の矩形のリーフ３５に等分するように、ミシン目の穿孔３３が中心線に沿って形成されている。ミシン目の穿孔３３は、実施の形態１の穿孔３と同様に好ましい一例として、マイクロミシン目として形成される。
【００５０】
リーフ印刷物１０３の表面には、２枚のリーフ３５の各々に、月数字３９の異なるカレンダーの月表が、互いに同一姿勢で印刷されている。各リーフ３５には、その上辺に沿った部位であって、２枚のリーフ３５の間で互いに対応する２箇所に、それぞれ綴じ孔３７が形成されている。リーフ印刷物１０３の裏面には、２枚のリーフ３５の各々に、互いに月数字３９の異なるカレンダーの月表を含む印刷が、綴じ孔３７の形成されている辺を上辺とするように、互いに同一姿勢で施されている。
【００５１】
リーフ印刷物１０３は、例えば１２箇月分の月表が揃うように、１組のリーフ印刷物として作製される。ここで、表面に５月の月表が印刷されたリーフ３５の裏面には、その翌月である６月の月表を含む印刷が施されている点に注目されたい。同様に、表面に６月の月表が印刷されたリーフ３５の裏面には、その翌月である７月の月表を含む印刷が施されている。
【００５２】
図７は、リーフ印刷物１０３の使用形態を例示する外観斜視図であり、（ａ）は正面側から視た斜視図であり、（ｂ）は背面側から視た斜視図である。図６に例示したように各リーフ３５に印刷を施すことにより、図７に例示するように、１組のリーフ印刷物１０３から切り離されて得られる１組のリーフ３５を、卓上リーフベース２０１等に吊り下げて卓上カレンダーとして使用する場合に、卓上カレンダーの正面と背面の双方に、同一月の月表を目視することが可能となる。例えば、セールスパースンと顧客とが、卓上リーフベース２０１が載置されたデスクを挟んで商談をする場合に、同一月の月表を双方が参照することが可能となる。それに加えて、各リーフ３５の裏面には、２箇月分の月表が印刷されているので、例えば顧客は、当月（例えば６月）の翌月（例えば７月）の月表をも参照することができる。
【００５３】
（実施の形態４）
図８は、本発明の実施の形態４によるリーフ印刷物を示す図であり、（ａ）は切り離し後のリーフ印刷物を示す斜視図、（ｂ）はその使用形態を例示する斜視図である。このリーフ印刷物１０４は、リーフ印刷物１０１と同様に、矩形のシートがミシン目の穿孔によって等分割されてなるリーフ４５の各々の表面に、月表に代えて、日数字の異なるカレンダーの日表が印刷されている。各リーフ４５には、年、月、日、曜日が印刷される。また、各リーフ４５の表面から視た左辺に沿って、２個の綴じ孔４７が形成されている。リーフ印刷物１０４には、例えば１年分３６５枚、或いは１年と３月分の４５６枚のリーフ４５が含まれる。例えば、Ａ列本判の大きさのシートに、５１２等分するミシン目の穿孔を形成することにより、日表が印刷された実用的な大きさのリーフ４５が得られる。日表が印刷されない余分のリーフ４５には、例えば広告（図示略）が印刷される。図８（ａ）に示すように、リーフ印刷物１０４を１組のリーフ４５に切り離し、重ねた上で、図８（ｂ）に示すように、従来周知の卓上リーフベース２０３に適用することにより、日めくり式の卓上カレンダーとして利用に供することができる。
【００５４】
（実施の形態５）
図９は、本発明の実施の形態５によるリーフ印刷物を示す平面図である。このリーフ印刷物１０５は、リーフ印刷物１０１と同様に、矩形のシート５１がミシン目の穿孔５３によって等分割されてなるリーフ５５の各々の表面に、月数字５９の異なるカレンダーの月表が印刷されている。リーフ印刷物１０５では、上下２領域の各々において、互いに異なる種類の１組の月表が印刷されている。上部領域に印刷される１組の月表は、卓上リーフベース２０１（図１０）に適用されるものであり、下部領域に印刷される１組の月表は、磁石付きバインダ２０２（図１１）に適用されるものである。下部領域の各月表は、上部領域の各月表の半分の大きさである。このため、下部領域では各リーフ５５がミシン目の穿孔３３によって、２枚の小リーフ５８に２等分されている。それに伴い、上部領域のリーフ５５ごとに形成される綴じ孔５７と、下部領域の小リーフ５８ごとに形成される綴じ孔５４とは、リーフ５の単位では位置及び個数において異なったものとなっている。リーフ５５の単位では、綴じ孔５７は２個であり、綴じ孔５４は４個である。しかし、卓上リーフベース２０１のリングバインダ７１及び磁石付バインダ２０２のリングバインダ８１のいずれも、それぞれが有する一対のリングのピッチは規格化された大きさである。それゆえ、小リーフ５８の単位では、綴じ孔５４は２個であり、ピッチも一対の綴じ孔５７のピッチと同一である。リーフ印刷物１０５は、単一のシート５１により２組の月表が得られるので、製造コストがさらに節減される。かかるリーフ印刷物１０５は、同一の顧客に卓上リーフベース２０１用と磁石付バインダ２０２用との２組の月表を送付するのに特に適している。
【００５５】
（その他の実施の形態）
（１）  実施の形態１、２、５によるリーフ印刷物１０１、１０２、１０５のように４枚以上のリーフを含むリーフ印刷物において、綴じ孔の形成されないリーフを一部に含んでいても良い。すなわち、綴じ孔が形成されるリーフが複数枚あって、残るリーフについては、綴じ孔が形成されないリーフ印刷物を実施することも可能である。或いは、残るリーフについては、上記複数のリーフの綴じ孔とはピッチ或いは個数の異なる綴じ孔を形成してもよい。或いは、残るリーフについては、各リーフをミシン目の穿孔により更に等分割し、分割された小リーフの各々に綴じ孔を形成しても良い。実施の形態５は、その一例となっている。
【００５６】
（２）  実施の形態１〜５によるリーフ印刷物１０１〜１０５では、各リーフ５，２５，３５，４５，５５、５８に、綴じ孔７、２７、３７、４７、５７、５４がそれぞれ形成された。これに対して、綴じ孔が形成されないリーフ印刷物を製作することも可能である。綴じ孔がなく、対応する一辺に対して姿勢を共通にする印刷が施された１組のリーフは、例えばトランプカードを製作するのに適している。
【００５７】
（３）  実施の形態１において述べたように、リーフ印刷物１０１〜１０５を製造するには、先に印刷を行い、その後にミシン目の穿孔３、２３、３３、５３及び綴じ孔７、２７、３７、５７、５４を形成する方が、凹凸のない平坦なシート１、２１、３１、５１に印刷をすることができ、印刷が容易である点で望ましい。当該製造方法は、シート１、２１、３１、５１よりも、幾分大きめのシートを準備し、これに印刷を施し、その後にミシン目の穿孔３、２３、３３、５３及び綴じ孔７、２７、３７、５７、５４を形成するとともに、印刷後のいずれかの段階で、大きめのシートをシート１、２１、３１、５１の大きさに切断する工程を含んでいても良い。シート１、２１、３１、５１を含み、それよりも大きいシートに印刷することは、シート１、２１、３１、５１に印刷することにも該当する。それゆえ幾分大きめのシートを準備することを含む上記の方法においても、シート１、２１、３１、５１に印刷を施し、その後にミシン目の穿孔３、２３、３３、５３及び綴じ孔７、２７、３７、５７、５４を形成する点に変わりはない。
【符号の説明】
【００５８】
１、２１、３１、５１  シート
３、２３、３３、５３  ミシン目の穿孔
５、２５、３５、４５、５５、５８  リーフ
７，２７、３７、５７  綴じ孔
１３、２８  広告
１０１〜１０５  リーフ印刷物
【図１】
2012254563.tif 000003
【図２】
2012254563.tif 000004
【図３】
2012254563.tif 000005
【図４】
2012254563.tif 000006
【図５】
2012254563.tif 000007
【図６】
2012254563.tif 000008
【図７】
2012254563.tif 000009
【図８】
2012254563.tif 000010
【図９】
2012254563.tif 000011
【図１０】
2012254563.tif 000012
【図１１】
2012254563.tif 000013
【手続補正書】
【提出日】平成23年11月30日(2011.11.30)
【手続補正１】
【補正対象書類名】特許請求の範囲
【補正対象項目名】全文
【補正方法】変更
【補正の内容】
【特許請求の範囲】
【請求項１】
矩形のシート状のリーフ印刷物であって、
全体を４枚以上の矩形のリーフに等分するように、切り離し用のミシン目の穿孔が縦横に形成されており、
前記４枚以上のリーフのうちの複数のリーフには、互いに対応する一辺に沿った、互いに対応する複数部位に、それぞれ綴じ孔が形成され、
前記複数のリーフには、共通する一方主面に、互いに対応する前記一辺に対して互いに同一姿勢で、それぞれ印刷が施されており、
前記複数のリーフには、共通する他方主面にも、互いに対応する前記一辺に対して互いに同一姿勢で、それぞれ印刷が施されているリーフ印刷物。
【請求項２】
前記共通する一方主面に施された前記印刷は、カレンダーの印刷であり、
前記共通する他方主面に施された前記印刷は、広告の印刷である、請求項１に記載のリーフ印刷物。
【請求項３】
請求項１又は２に記載のリーフ印刷物から、前記ミシン目の穿孔に沿って切り離されたリーフが、前記一辺が互いに揃うように、開閉可能なバインダに綴じられてなる綴じリーフ。
【請求項４】
請求項１又は２に記載のリーフ印刷物を製造する工程と、
前記リーフ印刷物から前記ミシン目に沿って前記リーフ毎に切り離す工程と、
切り離された前記リーフを重ねて梱包する工程と、
梱包された前記リーフを顧客へ輸送する工程と、
を備えるリーフ提供方法。
【手続補正３】
【補正対象書類名】明細書
【補正対象項目名】０００１
【補正方法】変更
【補正の内容】
【０００１】
本発明は、卓上リーフベースへの利用に好適なリーフ印刷物、リーフ印刷物の製造方法、綴じリーフ及びリーフ提供方法に関する。
【手続補正４】
【補正対象書類名】明細書
【補正対象項目名】０００６
【補正方法】変更
【補正の内容】
【０００６】
本発明は上記の問題点に鑑みてなされたもので、印刷が施された複数のリーフの製造コストを節減するリーフ印刷物、及びその製造方法を提供することを目的とする。本発明はさらに、当該リーフ印刷物から作られる綴じリーフを提供することを目的とする。本発明はさらに、前記リーフ印刷物からリーフを製造し顧客へ提供するリーフ提供方法に関する。
【手続補正５】
【補正対象書類名】明細書
【補正対象項目名】００３４
【補正方法】変更
【補正の内容】
【００３４】
この構成によれば、リーフ印刷物を製造するに際し、矩形のシートに印刷を施した後に、ミシン目の穿孔が形成されるので、凹凸のないシート上に印刷を施すこととなる。このため、印刷作業が容易となる。
本発明のうち第１６の態様に係るものは、第１の態様に係るリーフ印刷物であって、前記複数のリーフには、共通する他方主面にも、互いに対応する前記一辺に対して互いに同一姿勢で、それぞれ印刷が施されているものである。
本発明のうち第１７の態様に係るものは、第１６の態様に係るリーフ印刷物であって、前記共通する一方主面に施された前記印刷は、カレンダーの印刷であり、前記共通する他方主面に施された前記印刷は、広告の印刷であるものである。
本発明のうち第１８の態様に係るものは綴じリーフであって、第１６又は第１７の態様に係るリーフ印刷物から、前記ミシン目の穿孔に沿って切り離されたリーフが、前記一辺が互いに揃うように、開閉可能なバインダに綴じられてなるものである。
本発明のうち第１９の態様に係るものは、リーフ提供方法であって、第１６又は第１７の態様にかかるリーフ印刷物を製造する工程と、前記リーフ印刷物から前記ミシン目に沿って前記リーフ毎に切り離す工程と、切り離された前記リーフを重ねて梱包する工程と、梱包された前記リーフを顧客へ輸送する工程と、を備えるものである。
【手続補正６】
【補正対象書類名】明細書
【補正対象項目名】００３５
【補正方法】変更
【補正の内容】
【００３５】
以上のように本発明のリーフ印刷物及びその製造方法によれば、印刷が施された複数のリーフの製造コストを節減することができる。また、本発明の綴じリーフ及び本発明のリーフ提供方法によれば、本発明のリーフ印刷物を用いることから、その製造コストを節減することができる。